(57)【要約】      （修正有）【課題】小動物が植物の幹周りを掘り返すのを防止し、且つ、構造が簡単で安価で誰もが容易に取り扱える小動物進入及び掘り起し防止用ネットを提供する。【解決手段】植物の発育増進の為、土中に撒布した有機質肥料の臭いを嗅ぎ付け、土を掘り起す小動物の侵入及び掘り起し防止用ネットであって、該ネットは、植物の大きさに適合し、且つ、ほぼ中央部から外縁に向けてスリット部を設けた円形状又は正四角形状に形成して設けたネットと、該ネットのスリット部の結束及びスリット部と外周縁部を土の表面にそれぞれ係止する為の複数の係止具から成り、使用時はネットのスリット部を拡大させて植物の幹部に巻廻し、且つ、ネットのスリット部の結束及びスリット部と外周部を複数の係止具で土の表面にそれぞれ係止して設ける。【選択図】図５
0003152807.tif 000002
【実用新案登録請求の範囲】
【請求項１】
植物の発育増進の為、土中に撒布した有機質肥料（Ｆ）の臭いを嗅ぎ付け、土を掘り起す小動物の侵入及び掘り起し防止用ネットであって、該ネットは、植物（Ｐ）の大きさに適合し、且つ、ほぼ中央部から外縁に向けてスリット部（１ａ），（２ａ）を設けた円形状、又は、正四角形状、又は、矩形状等に形成して設けたネット（１），（２）と、該ネットのスリット部の結束及びスリット部と外周縁部を土の表面にそれぞれ係止する為の複数の係止具（３）から成り、使用時はネットのスリット部を拡大させて植物（Ｐ）の幹部（Ｐａ）に巻廻し、且つ、ネットのスリット部の結束及びスリット部と外周部を複数の係止具（３）で土の表面にそれぞれ係止して設けた事を特徴とする小動物の侵入及び掘り起し防止用ネット。
【請求項２】
植物の発育増進の為、土中に撒布した有機質肥料（Ｆ）の臭いを嗅ぎ付け、土を掘り起す小動物の侵入及び掘り起し防止用ネットであって、該ネットは、植物（Ｐ）の大きさに適合する半円形状、正四角形状、又は矩形状に形成した（１'），（２'）と、ネットの周円部を土の表面にそれぞれ係止する為の複数の係止具（３）から成り、使用時は植物の幹部（Ｐａ）を挟んで前記ネットを接合、或いは重合するよう係止具（３）で係止して設ける事を特徴とする小動物の侵入及び掘り起し防止用ネット。
【考案の詳細な説明】
【技術分野】
【０００１】
この考案は、小動物進入及び掘り起し防止用ネットに関するものである。
【背景技術】
【０００２】
従来、植物の発育を促進する為に有機質肥料や飼料の粉状、粒状、粘液状（米糖、油泊、穀物類、トウモロコシ、鶏糞、魚粉、豚糞等）を含む有機物を植物の幹周辺の土中に施すと、その有機物の臭いを嗅ぎ付け、又、土中の有機物が腐蝕する時に発するガスの臭いを嗅ぎ付け、猪や鹿や狸や狐や鼠等の小動物が、餌が有るのではないかと植物の幹周りを掘り起してしまうという問題が発生している。
【０００３】
そして、ひどい時には土の表面から土中１５〜２０ｃｍ以上の深さまで掘り起す為、植物の細根や毛根が痛み、植物の衰弱に繋がり兼ねない。
【０００４】
又、この他の防止策として、小動物侵入防止用の通電式金網を植物の周囲に張り巡らす方法が有るが、多額の費用と手間が掛かり採算が合わない。従って、上記の問題を解決する為の小動物進入及び掘り起し防止用ネットの早期開発が求められている。
【先行技術文献】
【特許文献】
【０００５】
これまでに出願されている小動物進入及び掘り起し防止用ネットに関する特許文献を、参考の為、紹介する（特許文献１〜３参照）。
【特許文献１】登録実用新案第３０１３０５９号
【特許文献２】登録実用新案第３０６１９８８号
【特許文献３】実用新案公開平７−０１３９０４
【考案の概要】
【考案が解決しようとする課題】
【０００６】
そこで、上記課題を解決する為に、この考案は小動物が植物の幹周りを掘り返すのを防止し、且つ、構造が簡単で安価で誰もが容易に取り扱える小動物進入及び掘り起し防止用ネットを開発・提供する事にある。
【課題を解決するための手段】
【０００７】
課題を解決するための手段として、植物の発育増進の為、土中に撒布した有機質肥料の臭いを嗅ぎ付け、土を掘り起す小動物の侵入及び掘り起し防止用ネットであって、該ネットは、植物の大きさに適合し、且つ、ほぼ中央部から外縁に向けてスリット部を設けた円形状又は正四角形状に形成して設けたネットと、該ネットのスリット部の結束及びスリット部と外周縁部を土の表面にそれぞれ係止する為の複数の係止具から成り、使用時はネットのスリット部を拡大させて植物の幹部に巻廻し、且つ、ネットのスリット部の結束及びスリット部と外周部を複数の係止具で土の表面にそれぞれ係止して設けたものである。
【考案の効果】
【０００８】
この考案の効果として、植物の大きさに適合し、且つ、ほぼ中央部から外縁に向けてスリット部を設けた円形状又は正四角形状に形成して設けたネットと、該ネットのスリット部の結束及びスリット部と外周縁部を土の表面にそれぞれ係止する為の複数の係止具から成り、使用時はネットのスリット部を拡大させて植物の幹部に巻廻し、且つ、ネットのスリット部の結束及びスリット部と外周部を複数の係止具で土の表面にそれぞれ係止して設けた事で、小動物の侵入及び掘り起しを防止し、且つ、構造が簡単で軽量で誰でも容易に取り扱える為、コスト的にも安価である等、極めて有益なる効果を奏するものである。
【図面の簡単な説明】
【０００９】
【図１】この考案の一実施例を示し、円形状ネットの平面図である。
【図２】この考案の一実施例を示し、正四角形状ネットの平面図である。
【図３】この考案の使用例を示し、植物の幹部にネットを係止時の平面図である。
【図４】この考案の使用例を示し、図３のａ−ａ矢視断面図である。
【図５】この考案の使用例を示し、斜視図である。
【図６】この考案のその他の実施例を示し、半円形状ネットの平面図である。
【図７】この考案のその他の実施例を示し、矩形状ネットの平面図である。
【図８】この考案のその他の使用例を示し、斜視図である。
【考案を実施するための形態】
【００１０】
この考案を実施するための形態として、植物の発育増進の為、土中に撒布した有機質肥料（Ｆ）の臭いを嗅ぎ付け、土を掘り起す小動物の侵入及び掘り起し防止用ネットであって、該ネットは、植物（Ｐ）の大きさに適合し、且つ、ほぼ中央部から外縁に向けてスリット部（１ａ），（２ａ）を設けた円形状又は正四角形状に形成して設けたネット（１），（２）と、該ネットのスリット部の結束及びスリット部と外周縁部を土の表面にそれぞれ係止する為の複数の係止具（３）から成り、使用時はネットのスリット部を拡大させて植物（Ｐ）の幹部（Ｐａ）に巻廻し、且つ、ネットのスリット部の結束及びスリット部と外周部を複数の係止具（３）で土の表面にそれぞれ係止して設けた事を特徴とする小動物の侵入及び掘り起し防止用ネットから構成される。
【実施例１】
【００１１】
そこで、この考案の一実施例を図１〜図２に基づいて詳述すると、図１は円形状に形成したネットの平面図を示し、植物の幹にネットのスリット部を拡大して差し込む為、幹の大きさ（直径）分を考慮した、半径の長さより若干長めのスリット部（１ａ）をネット（１）のほぼ中央から外縁に向けて設けたものである。
【００１２】
又、前記ネットの素材は堅牢な合成樹脂繊維糸編んだロープで形成したもので、原反状のものを敷設して使用しても構わない。
【００１３】
又、図２は正四角形状に形成したネットの平面図を示し、前記同様に幹の大きさ（直径）分を考慮した、正四角形の一辺の長さの１／２より若干長めのスリット部（２ａ）をネット（２）のほぼ中央から外縁に向けて垂直方向に設けたものである。
【００１４】
又、図３は円形状に形成したネット（１）のスリット部（１ａ）を拡大して植物の幹部（Ｐａ）に差し込み巻廻し、ネット（１）のスリット部（１ａ）の結束及びスリット部と外周部を複数の係止具（３）で土の表面にそれぞれ係止して設けた時の平面図である。
【００１５】
又、図４は図３のａ−ａ矢視断面図を示し、植物の根っこの部分を中心にして発育増進用の有機肥料（Ｆ）が土と一緒に混合されている為、その有機肥料（Ｆ）の掘り起し防止用として有機肥料の有る範囲の土の上面にネットを敷設し、複数の係止具でネットを係止する。
【００１６】
又、図５はこの考案の使用状態を示す、全体斜視図を示し、ネットのスリット部と外周部に係止した逆Ｕ字状の係止具（３）は、スリット部の結束及び小動物による掘り起しを防止する為、土の表面に打ち込んで固着するものである。又、この係止具（３）は逆Ｕ字状に限定されるものではなく、石や材木等の重量物をネット上に置いて固定しても良い。
【００１７】
尚、図３・図４・図５は円形状ネットの使用時の平面図と、断面図と斜視図を示したもので、円形状以外の四角形状（図２）のネット、或いは、状況や必要に応じて多角形状のネットやロール状のネットを使用しても構わない。
【実施例２】
【００１８】
この考案のその他の実施例として、上記実施例に対し反円形状（図６参照）に形成したネット（１'）（１'）又は矩形状（図７参照）に形成したネット（２'）（２'）をそれぞれ設け、且つ、図８に示す様に植物の幹部の左右から抱き合わせに挟み、複数の係止具でそれぞれ係止する方法でも構わない。
【産業上の利用可能性】
【００１９】
この考案の小動物進入及び掘り起し防止用ネットは、小動物が植物の幹周りを掘り返すのを防止し、且つ、構造が簡単で安価で誰もが容易に取り扱える為、有機肥料を取り扱う多くの農林関係市場に寄与する為、産業上の利用可能性を有する。
【符号の説明】
【００２０】
１  ネット（円形状）
１'  ネット（半円形状）
１ａ  スリット部
１ａ'  接合部
２  ネット（正四角形状）
２'  ネット（矩形状）
２ａ  スリット部
２ａ'  接合部
３  係止具
Ｆ  有機質肥料
Ｐ  植物
Ｐａ  幹部
【図１】
0003152807.tif 000003
【図２】
0003152807.tif 000004
【図３】
0003152807.tif 000005
【図４】
0003152807.tif 000006
【図５】
0003152807.tif 000007
【図６】
0003152807.tif 000008
【図７】
0003152807.tif 000009
【図８】
0003152807.tif 000010